(57)【要約】      （修正有）【課題】宝石全体を光らせることができるなど、種々の光装飾を付加することができる発光宝石を提供する。【解決手段】透光性を有する真珠などの宝石１１が基台３１に固定された装飾体１０において、宝石は外部から内部にまで設けられた挿入孔１４を備え、内部にＬＥＤ発光体の発光部２１を配置して、発光を外部から視認できるようにする。宝石が真珠の場合、真珠層１３は、発光部が発光していない状態では発光部が外部から視認できない隠蔽反射性を備え、発光部が発光している状態では発光を外部から視認できる発光透光性を備えた多層結晶構造を有する。【選択図】図１
0003218070.tif 000002
【実用新案登録請求の範囲】
【請求項１】
透光性を有する宝石と、前記宝石を支持する基台を備えた装飾体において、
前記宝石は、外部から内部にまで設けられた挿入孔を備え、
前記挿入孔の内部に発光部が配置され、
前記発光部の発光を外部から視認できるように構成されたことを特徴とする発光宝石。
【請求項２】
前記宝石は、透光性を有する核とその外周を被覆する真珠層とを備えた真珠であり、
前記挿入孔は、前記真珠層から前記核まで達するものであり、
前記真珠層は、前記発光部が発光していない状態では前記発光部が外部から視認できない隠蔽反射性を備え、且つ、前記発光部が発光している状態ではその発光を外部から視認できる発光透光性を備えた多層結晶構造を有することを特徴とする請求項１記載の発光宝石。
【請求項３】
前記挿入孔は、外部から前記核に達する開口部と、前記核に形成された前記開口部よりも大きな空洞部とを備えていることを特徴とする請求項２に記載の発光宝石。
【請求項４】
前記発光部は前記基台から突出しており、突出した前記発光部が前記挿入孔に挿入されてその内壁と接着剤にて固定されていることを特徴とする請求項１〜３の何れかに記載の発光宝石。
【請求項５】
前記発光部はＬＥＤから構成され、
前記基台にＬＥＤの発光状態を制御する制御部と電源とが配置されたことを特徴とする請求項１〜４の何れかに記載の発光宝石。
【考案の詳細な説明】
【技術分野】
【０００１】
本考案は、発光宝石による装飾構造に関するものである。
【背景技術】
【０００２】
特許文献１においては、身体や衣服等への装着手段を備えた基台にＬＥＤや電池や発光回路を配置し、ＬＥＤの上に宝石を配置し、ＬＥＤを発光させることによって、新たな装飾効果を生み出した装飾品が提案されている。
ところがこの特許文献１に係る発明では、宝石の内部にＬＥＤを備えたものではなく宝石の下部にＬＥＤを配置したに止まるため、光による装飾効果には限りがあった。特に、宝石全体を光らせることが困難であるという課題があった。また、透明性の高い宝石にあっては、下部に配置したＬＥＤが宝石を通して外部から見えてしまい、宝石の貴重品としての価値を低下させてしまう恐れもあった。
【先行技術文献】
【特許文献】
【０００３】
【特許文献１】特開２００２−１６２３１２号公報
【考案の概要】
【考案が解決しようとする課題】
【０００４】
本考案は、宝石全体を光らせることができるなど、種々の光装飾を付加することができる発光宝石の提供を課題とする。
本考案の他の目的は、発光部によって宝石の価値を低下させることのない発光宝石を提供することにある。
【課題を解決するための手段】
【０００５】
本考案は、透光性を有する宝石が基台に固定された装飾体において、前記宝石は外部から内部にまで設けられた挿入孔を備え、前記挿入孔の内部に発光部が配置され、前記発光部の発光を外部から視認できるように構成されたことを特徴とする発光宝石を提供する。
前記宝石は、透光性を有する核とその外周を被覆する真珠層とを備えた真珠として実施することができる。前記挿入孔は、前記真珠層から前記核まで達するものであり、前記真珠層は、前記発光部が発光していない状態では前記発光部が外部から視認できない隠蔽反射性を備え、且つ、前記発光部が発光している状態ではその発光を外部から視認できる発光透光性を備えた多層結晶構造を有するものであることが好ましい。前記挿入孔は、外部から前記核に達する開口部と、前記核に形成された前記開口部よりも大きな空洞部とを備えていることも望ましい。
【０００６】
前記発光部は前記基台から突出しており、突出した前記発光部が前記挿入孔に挿入されてその内壁と接着剤にて固定されているように構成することで、発光部を前記宝石の前記基台への固定手段として利用することができる。
前記発光部はＬＥＤから構成され、前記基台にＬＥＤの発光状態を制御する制御部と電源とを配置したものとして実施することができる。
【考案の効果】
【０００７】
本考案は、宝石の内部に発光部を配置することによって、宝石全体を光らせるなど、種々の光装飾を付加することができる発光宝石を提供することができたものである。
また本考案は、内部の発光部を外部からは視認できず、発光部を発光させた際の発光を外部に透過させることができる真珠層を備えた発光宝石を提供することによって、発光部によって宝石の価値を低下させることのない発光宝石を提供することができたものである。
【図面の簡単な説明】
【０００８】
【図１】本考案の第１の実施の形態に係る発光宝石の構造説明図である。
【図３】本考案の第１の実施の形態に係る発光宝石の透視斜視図である。
【図２】本考案の第２の実施の形態に係る発光宝石の構造説明図である。
【考案を実施するための形態】
【０００９】
以下、図面に基づき本願考案の実施の形態を説明する。
（第１の実施の形態）
図１及び図２に示す実施の形態に係る装飾体１０は、宝石としての真珠１１と、真珠１１を支持する基台３１を備える。基台３１は指輪を例示しているが、指輪の他ネックレス、ブローチ、ブレスレット、アンクレット、ティアラ、ヘアオーナメント、イアリング、カフスボタン、ネクタイピン等々宝石を用いた種々の装飾品に適用することができる。
【００１０】
真珠１１は、表面層に真珠層１３を備えた宝石であり、天然真珠の他、養殖真珠、南洋真珠、黒蝶真珠、淡水パールなどを示すことができる。
最も多く流通している養殖真珠では、透光性を備えた貝などを加工した核１２を内部に備えており、核１２の表面が真珠層１３によって被覆されている形態を備えている。
【００１１】
（ＬＥＤ発光体について）
真珠１１は、核１２の外部から真珠層１３の内部にまで設けられた挿入孔１４を備えている。この挿入孔１４の内部にＬＥＤ発光体の発光部２１が挿入され、発光部２１の発光を外部から視認できるように構成されている。
発光部２１は、発光ダイオードを樹脂で被覆した柱状をなしており、この発光部２１は発光状態を制御する制御部２２と、ボタン電池などの小型の電源２３と、人が電源のオンオフなどを操作するスイッチ２４と共に、ＬＥＤ発光体を構成する。電源２３は必要に応じて電池カバー２５で覆われている。
【００１２】
発光部２１を除くＬＥＤ発光体の他の部品は、基台３１の内部に設けられており、発光部２１が基台３１の表面から柱状に突出している。基台３１の構造は種々変更して実施することができるが、この例では開閉可能に設けられた上下のカバー３３、３４と、下カバー３４に固定されたリング３５とを備える。上カバー３３から上方に向けて柱状に突出している発光部２１が真珠１１の挿入孔１４に挿入されて、挿入孔１４の内壁と発光部２１の表面とがＵＶ接着剤などの透光性の高い接着剤３２によって接着される。なお接着剤３２は、挿入孔１４の周囲の真珠１１外面と基台３１の表面との間にも施されても構わないが、外部から基台３１の存在が見えないようにしておくことが望ましい。
【００１３】
（隠蔽反射性と発光透光性）
真珠１１の真珠層１３は炭酸カルシウム(CaCO3)などの微結晶がキチン質などの弾性生体高分子によって接着された多層結晶構造体であり、多層膜干渉によって、その反射光に真珠独特の干渉色が生じる。
【００１４】
真珠層１３は、日常生活における外部からの光によっては、多層膜干渉の反射光の作用によって内部の物体を視認することができないものであり、本考案においてはこの作用を隠蔽反射性という。
真珠層１３の隠蔽反射性によって、真珠１１の内部に配置された発光部２１は、日常生活における外部からの光によっては、視認することができないため、宝石としての真珠の品格を外観上低下させることがない。
【００１５】
他方、真珠層１３は内部の発光部２１からの発光を透過させる発光透光性を備えている。
その結果、スイッチ２４を操作して発光部２１を発光させるまでは、外部からは通常の真珠と変わらない真珠光沢を備えた真珠１１として装飾体１０の主要な宝石を構成する一方、発光部２１を発光させるとその発光が外部に透過するため、真珠１１全体が球状に光る。これによって従来の真珠１１では得られない装飾効果を装飾体１０に与えることができる。
【００１６】
（第２の実施の形態）
上記のように隠蔽反射性と発光透光性を備えた真珠１１は、白色、黄色、ピンクなどの比較的色の薄い真珠である。他方黒蝶真珠などの生体高分子に黒色や紫色の色素が多く含まれているものや、核１２に色素が多く含まれているものについては、発光透光性が十分でない場合がある。その場合には、図３に示すように、挿入孔１４を外部から核１２に達する開口部１５と、核１２に形成された開口部１５よりも大きな空洞部１６とを備えているものとして実施することができる。このように大きな空洞部１６を備えることによって、発光部２１の発光を外部から視認することができるようになる。
【００１７】
実施に際しては、開口部１５からリューターなどの切削研磨工具を挿入して核１２を研削していくことで空洞部１６を形成することができるが、その際に、核１２を全て削りだしてしまって真珠層１３の一部までも削りだして発光透光性を高めるようにしても構わないが、少なくとも真珠層１３の表面の層は残しておく必要がある。また核１２と真珠層１３を研削する厚みを変化させることによって、外部から見える発光状態に部分的に濃淡を付与することができ、これによって発光時にのみ現れる模様を表現することもできる。例えば、真珠１１の下半部が上半部よりも薄くなるように研削することで、下半部を中心に発光の光が外部から観察できるようにすることで、真珠１１の上半部が下半部から照らし出されるような照明効果を演出したり、真珠１１の周方向で厚みを変化させることで炎のような照明効果を演出したりすることができる。
このような模様の表現は、発光部２１の樹脂層の表面に、濃淡模様を備えたフィルムを配置するなどして表現することもできる。
【００１８】
空洞部１６の内部は空間のままとしても構わないが、接着剤３２を充填することによって強度や接着固定性を高めておくことも好ましい。
【００１９】
（他の実施の形態）
以上の実施の形態では、宝石として真珠１１を用いたが、一般に知られた他の宝石を用いて実施することもできる。
また何の実施の形態についても、発光部２１の発光色は一色に限らず多色であっても構わないし、制御部２２の機能によってその発光色を変化させるように構成しても構わない。
スイッチ２４については押しボタン式のスイッチの他、回転式のスイッチを用いて真珠１１などの宝石の基部を回すことで明滅を切り替えるようにしても構わない。
【符号の説明】
【００２０】
１０  装飾体
１１  真珠
１２  核
１３  真珠層
１４  挿入孔
１５  開口部
１６  空洞部
２１  発光部
２２  制御部
２３  電源
２４  スイッチ
２５  電池カバー
３１  基台
３２  接着剤
３３  上カバー
３４  下カバー
３５  リング
【図１】
0003218070.tif 000003
【図２】
0003218070.tif 000004
【図３】
0003218070.tif 000005